(57)【要約】      （修正有）【課題】地震や地盤沈下等が発生しても、敷設した多数の護岸用コンクリートブロックが上下にずれるのを低減し、津波や高潮を受けても、堤防の緩傾面に敷設した護岸用コンクリートブロックが捲れ上がり剥がれることを防止できる護岸用コンクリートブロックを提供する。【解決手段】堤防に敷設する護岸用コンクリートブロック１０であって、前後が短く左右が長い長方形状の上面部及び下面部と、前面部３及び後面部４と、右側面部及び左側面部と、からなる。前面部３の下半分に前方に向かって突き出した前側張出部を設ける共に、後面部４の上半分に後方に向かって突き出した後側張出部を設けた構成とする。堤防の緩傾面に、前面部３を堤外側に向け、後面部４を堤内側に向けて敷設し、前側張出部が前方に敷設された別の護岸用コンクリートブロックの後側張出部の下側に位置してここで重なり合うようにした。【選択図】図１０
0003185674.tif 000002
【実用新案登録請求の範囲】
【請求項１】
海岸や河川等における堤防の緩傾面に敷設する護岸用コンクリートブロックであって、
前後が短く左右が長い長方形状の上面部１及び下面部２と、前面部３及び後面部４と、右側面部５及び左側面部６と、から直方体形状となり、この前面部３の下半分に前方に向かって突き出した前側張出部７を設ける共に、後面部４の上半分に後方に向かって突き出した後側張出部８を設けた構成とし、
堤防の緩傾面に、前面部３を堤外側に向け、後面部４を堤内側に向けて敷設した際、前側張出部７が前方に敷設された別の護岸用コンクリートブロック１０の後側張出部８の下側に位置してここで重なり合うようにしたことを特徴とする護岸用コンクリートブロック。
【請求項２】
前記前側張出部７の上面を緩やかな斜面にすると共に、前記後側張出部８の下面を緩やかな斜面にして、このそれぞれの斜面の傾斜角度を同じ角度にしたことを特徴とする請求項１記載の護岸用コンクリートブロック。
【考案の詳細な説明】
【技術分野】
【０００１】
本考案は、海岸や河川等における堤防の緩傾面に敷設する護岸用コンクリートブロックに関する。
【背景技術】
【０００２】
従来、海岸や河川等における堤防の緩傾面に護岸用コンクリートブロックを敷設することによって、堤防を構築するようにしていた。
【０００３】
この堤防に敷設する護岸用コンクリートブロック２０としては、図１２に示すように、上面部２１及び下面部２２と、前面部２３及び後面部２４と、右側面部２５及び左側面部２６と、から直方体形状としたものであって、これを、堤防の堤外側（河川・海側）の緩傾面に多数敷設すると共に、堤防の堤内側（陸側）の緩傾面にも多数敷設していた。
【考案の概要】
【考案が解決しようとする課題】
【０００４】
かかる従来の護岸用コンクリートブロック２０にあっては、前後に隣接する護岸用コンクリートブロック２０同士をつなぎ止めるような形状にはなっていなかったため、地震や地盤沈下等が発生した場合、これらによって敷設した多数の護岸用コンクリートブロック２０が上下にずれてしまうといったことがあった。
【０００５】
そして、その後に津波や高潮を受けてしまうと、図１３に示すように、上にずれた護岸用コンクリートブロック２０には津波や高潮によって抗力（水流によるブロックに作用する力）が作用し、これにより、図１４に示すように、敷設していた護岸用コンクリートブロック２０が捲れ上がって剥がれてしまうといったことが起こる。特に、堤防の堤内側（陸側）の緩傾面に敷設した護岸用コンクリートブロック２０では、堤防を越えて流れてきた津波や高潮によって大きな抗力（水流によるブロックに作用する力）が作用するため、敷設していた護岸用コンクリートブロック２０が容易に捲れ上がって剥がれてしまい、最悪の場合には、堤防の崩壊に至る可能性もあった。
【０００６】
本考案は、これらの点を鑑み、護岸用コンクリートブロックの形状を工夫することで、地震や地盤沈下等が発生しても、敷設した多数の護岸用コンクリートブロックが上下にずれるのを低減し、津波や高潮を受けても、堤防の緩傾面に敷設した護岸用コンクリートブロックが捲れ上がって剥がれてしまうといったことを防止できるようにすることを、その課題とするものである。
【課題を解決するための手段】
【０００７】
第一の考案は、海岸や河川等における堤防の緩傾面に敷設する護岸用コンクリートブロックであって、前後が短く左右が長い長方形状の上面部及び下面部と、前面部及び後面部と、右側面部及び左側面部と、から直方体形状となり、この前面部の下半分に前方に向かって突き出した前側張出部を設ける共に、後面部の上半分に後方に向かって突き出した後側張出部を設けた構成とし、堤防の緩傾面に、前面部を堤外側に向け、後面部を堤内側に向けて敷設した際、前側張出部が前方に敷設された別の護岸用コンクリートブロックの後側張出部の下側に位置してここで重なり合うようにした護岸用コンクリートブロックである。
【０００８】
第二の考案は、第一の考案において、前側張出部の上面を緩やかな斜面にすると共に、後側張出部の下面を緩やかな斜面にして、このそれぞれの斜面の傾斜角度を同じ角度にした護岸用コンクリートブロックである。
【考案の効果】
【０００９】
本考案によれば、堤防の緩傾面に敷設した護岸用コンクリートブロックにおいて、前側張出部が前方に敷設された別の護岸用コンクリートブロックの後側張出部の下側に位置してここで重なり合うようにしたことで、堤外側に向いている護岸用コンクリートブロックの前側は前方に位置する護岸用コンクリートブロックによって上方より押さえ付けられて、この前側が上にずれるといったことをなくすことができ、これにより、津波や高潮を受けても、護岸用コンクリートブロックでは抗力（水流によるブロックに作用する力）が作用することはなく、敷設していた護岸用コンクリートブロックが捲れ上がって剥がれてしまうといったことをなくすことができる。
【００１０】
また、前側張出部の上面である斜面の傾斜角度と後側張出部の下面である斜面の傾斜角度とを同じ角度にすることで、護岸用コンクリートブロックを敷設する際、前側張出部と後側張出部とを良好に重ね合わせることができ、これにより、安定性の高い状態で護岸用コンクリートブロックを敷設することができる。
【図面の簡単な説明】
【００１１】
【図１】本考案の護岸用コンクリートブロックの前面図である。
【図２】本考案の護岸用コンクリートブロックの後面図である。
【図３】本考案の護岸用コンクリートブロックの上面図である。
【図４】本考案の護岸用コンクリートブロックの下面図である。
【図５】本考案の護岸用コンクリートブロックの左側面図である。
【図６】本考案の護岸用コンクリートブロックの前と下から見た斜視図である。
【図７】本考案の護岸用コンクリートブロックの後と上から見た斜視図である。
【図８】本考案の護岸用コンクリートブロックを敷設した状態を示す説明図である。
【図９】本考案の護岸用コンクリートブロックを敷設した状態を示す説明図である。
【図１０】本考案の護岸用コンクリートブロックを堤防の緩傾面に敷設した状態を示す説明図である。
【図１１】津波や高潮を受けたときの状態を示す図１０のＡ部詳細図である。
【図１２】従来の護岸用コンクリートブロックの斜視図である。
【図１３】従来の護岸用コンクリートブロックにおける津波や高潮を受けたときの状態を示す説明図である。
【図１４】従来の護岸用コンクリートブロックにおける津波や高潮を受けたときの状態を示す説明図である。
【考案を実施するための形態】
【００１２】
本考案による護岸用コンクリートブロックの一実施形態について説明する。
この護岸用コンクリートブロック１０としては、図１、図２、図３、図４、図５、図６、図７に示すように、前後が短く左右が長い長方形状の上面部１と、この上面部１と同形状の下面部２と、上面部１及び下面部２の前側に位置する前面部３と、上面部１及び下面部２の後側に位置する後面部４と、上面部１及び下面部２の右側に位置する右側面部５と、上面部１及び下面部２の左側に位置する左側面部６と、から直方体形状とするものである。なお、この護岸用コンクリートブロック１０の大きさについては、概略ではあるが、前後寸法を１とした場合、左右寸法は２、高さ寸法は０．５、すなわち、前後寸法と左右寸法と高さ寸法とが１対２対０．５の関係であり、実際の寸法としては、前後寸法が約１ｍ、左右寸法が約２ｍ、高さ寸法が約０．５ｍである。
【００１３】
そして、この前面部３において、その下半分に前方に向かって突き出した前側張出部７を左右全長にわたって設け、下面部２と前側張出部７の下面とが同一面となるようにし、その周囲の縁に小さな面取り１１を形成する。また、前側張出部７の上面を緩やかな斜面にする。
【００１４】
一方、後面部４において、その上半分に後方に向かって突き出した後側張出部８を左右全長にわたって設け、上面部１と後側張出部８の上面とが同一面となるようにし、その周囲の縁に大きな面取り１２を形成する。また、後側張出部８の下面を緩やかな斜面にする。そして、この後側張出部８の下面である斜面の傾斜角度と前側張出部７の上面である斜面の傾斜角度とは同じ角度にする。これにより、前面部３に設けた前側張出部７の形状と後面部４に設けた後側張出部８の形状とが合うようになり、ここでの係合を可能にしている。
【００１５】
それから、このような構成となる護岸用コンクリートブロック１０を、海岸や河川等における堤防の緩傾面に敷設する。
【００１６】
これは、図８、図９に示すように、前後、左右に向かって規則正しく並べて敷設するものであって、図１０に示すように、堤防の堤外側（河川・海側）の緩傾面に多数敷設すると共に、堤防の堤内側（陸側）の緩傾面にも多数敷設している。
【００１７】
このとき、護岸用コンクリートブロック１０の前面部３を堤外側（河川・海側）に向け、後面部４を堤内側（陸側）に向けて敷設する。なお、堤防の堤外側（河川・海側）の緩傾面に敷設する場合も堤防の堤内側（陸側）の緩傾面に敷設する場合も、どちらも、護岸用コンクリートブロック１０の前面部３を堤外側（河川・海側）に向け、後面部４を堤内側（陸側）に向けるようにする。すなわち、護岸用コンクリートブロック１０を敷設する際は、常に前面部３を堤外側（河川・海側）に向け、後面部４を堤内側（陸側）に向けるようにしている。そして、前面部３に設けた前側張出部７が前方に敷設された別の護岸用コンクリートブロック１０の後面部４に設けた後側張出部８の下側に位置するようにし、ここで重なり合うようにする。この前面部３に設けた前側張出部７と後面部４に設けた後側張出部８とが重なり合うことにより、前後に隣接する護岸用コンクリートブロック１０同士をつなげる。また、前側張出部７の上面である斜面の傾斜角度と後側張出部８の下面である斜面の傾斜角度とを同じ角度にすることで、前側張出部７と後側張出部８とを良好に重ね合わせることができるようにしている。
【００１８】
このように護岸用コンクリートブロック１０において、その前面部３に設けた前側張出部７と後面部４に設けた後側張出部８とによって、前後に隣接する護岸用コンクリートブロック１０同士をつなげることができ、たとえば地震や地盤沈下等が発生しても、少なくとも堤外側（河川・海側）に向いている護岸用コンクリートブロック１０の前側は前方に位置する護岸用コンクリートブロック１０によって上方より押さえ付けられることから、護岸用コンクリートブロック１０の前側が上にずれるといったことをなくすことができる。よって、護岸用コンクリートブロック１０の前側が上にずれることがないことから、津波や高潮を受けても、護岸用コンクリートブロック１０では抗力（水流によるブロックに作用する力）が作用することはなく、敷設していた護岸用コンクリートブロック１０が捲れ上がって剥がれてしまうといったことをなくすことができる。特に、堤防の堤内側（陸側）の緩傾面に敷設した護岸用コンクリートブロック１０にあっては、図１１に示すように、堤防を越えて流れてきた津波や高潮を受けても、護岸用コンクリートブロック１０の前側が上にずれることがないことから、ここに大きな抗力（水流によるブロックに作用する力）が作用することはなく、敷設していた護岸用コンクリートブロック１０が捲れ上がって剥がれてしまうといったことをなくすことができ、堤防の崩壊といった問題が起こることはない。
【００１９】
要するに、護岸用コンクリートブロック１０の形状を工夫することで、地震や地盤沈下等が発生しても、敷設した多数の護岸用コンクリートブロック１０が上下にずれるのを低減し、津波や高潮を受けても、堤防の緩傾面に敷設した護岸用コンクリートブロック１０が捲れ上がって剥がれてしまうといったことを防止することができる。
【符号の説明】
【００２０】
１…上面部、２…下面部、３…前面部、４…後面部、５…右側面部、６…左側面部、７…前側張出部、８…後側張出部、１０…護岸用コンクリートブロック、１１…面取り、１２…面取り、２０…護岸用コンクリートブロック、２１…上面部、２２…下面部、２３…前面部、２４…後面部、２５…右側面部、２６…左側面部
【図１】
0003185674.tif 000003
【図２】
0003185674.tif 000004
【図３】
0003185674.tif 000005
【図４】
0003185674.tif 000006
【図５】
0003185674.tif 000007
【図６】
0003185674.tif 000008
【図７】
0003185674.tif 000009
【図８】
0003185674.tif 000010
【図９】
0003185674.tif 000011
【図１０】
0003185674.tif 000012
【図１１】
0003185674.tif 000013
【図１２】
0003185674.tif 000014
【図１３】
0003185674.tif 000015
【図１４】
0003185674.tif 000016